(57)【要約】  キャリアアグリゲーションを使用するワイヤレス通信ネットワークにおいて、ユーザ機器（ＵＥ）は、２次セルとの通信リンクの障害を示すイベントについて、２次セルのダウンリンク無線リンク品質を監視し得る。障害イベントが検出されたとき、ＵＥは、２次セルに関する障害状態を宣言する。障害状態に応答して、ＵＥは、電力およびリソースを節約するために、２次コンポーネントキャリアに関係する動作を調整し得る。
2016517213.tif 000002
【特許請求の範囲】
【請求項１】
キャリアアグリゲーションを使用するワイヤレス通信ネットワークにおける２次コンポーネントキャリア上でのワイヤレス通信のための方法であって、
モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、なお、障害状態の間に前記モバイルデバイスが前記２次コンポーネントキャリアに関係する動作を調整する、
を備える方法。
【請求項２】
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せ
をさらに備える、請求項１に記載の方法。
【請求項３】
前記モバイルデバイスにおいて電力を前記低減することが、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
のうちの１つを含む、請求項２に記載の方法。
【請求項４】
前記障害状態に応答して前記２次コンポーネントキャリア上でセル探索を実行することと、
前記セル探索中に、１つまたは複数の同期信号の品質に基づいて、１つまたは複数の構成された２次セルとの前記２次コンポーネントキャリア上での前記通信リンクを復元することと
をさらに備える、請求項２に記載の方法。
【請求項５】
前記障害状態に応答して、前記１つまたは複数の構成された２次セルの、前記１つまたは複数の同期信号、またはセル固有基準信号、のうちの１つまたは複数の前記品質の測定を実行すること、ここにおいて、前記復元することは、前記品質が通信のための少なくともしきい値品質を満たすとき、前記１つまたは複数の構成された２次セルとの前記２次コンポーネントキャリア上での前記通信リンクを復元することを含む、
をさらに備える、請求項４に記載の方法。
【請求項６】
前記１つまたは複数の構成された２次セルとの前記通信リンクを前記復元することが、
前記モバイルデバイスにおいて、前記１つまたは複数の構成された２次セルに関連するＲＦ受信機を使用可能にすること、
前記モバイルデバイスにおいて、前記１つまたは複数の構成された２次セルに関連する復調経路をアクティブにすること、
前記モバイルデバイスにおいて、前記１つまたは複数の構成された２次セルに関連する変調経路をアクティブにすること、
前記モバイルデバイスにおいて電力を回復させること、または
それらの２つまたはそれ以上の組合せ
のうちの１つを含む、請求項４に記載の方法。
【請求項７】
前記１つまたは複数の構成された２次セルとの前記通信リンクを前記復元することが、前記モバイルデバイスによって、前記セル探索中に検出された探索オフセットを使用して１つまたは複数の２次セルトラッキングループを更新することを備え、
前記１つまたは複数の２次セルトラッキングループを前記更新することが、前記１つまたは複数の２次セルトラッキングループを再初期化することを含む、
請求項４に記載の方法。
【請求項８】
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングすることをさらに備える、請求項１に記載の方法。
【請求項９】
前記通信リンクの前記障害を示す前記イベントを検出することが、
前記モバイルデバイスにおいて受信基準信号の電力を測定すること、を含み、ここにおいて、前記イベントは、前記電力が所定の時間期間の間所定のしきい値を下回るときに検出されたリンク障害を含む、
請求項１に記載の方法。
【請求項１０】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項１に記載の方法。
【請求項１１】
キャリアアグリゲーションを使用するワイヤレス通信ネットワークにおける２次コンポーネントキャリア上でのワイヤレス通信のための装置であって、
モバイルデバイスにおいて、２次セルとの前記２次コンポーネントキャリア上での通信リンクの障害を示すイベントについて、前記２次セルのダウンリンク無線リンク品質を監視するための手段と、
前記イベントを検出したことに応答して、前記２次セルの障害状態を宣言するための手段と、なお、障害状態の間に前記モバイルデバイスが前記２次コンポーネントキャリアに関係する動作を調整する、
を備える装置。
【請求項１２】
前記障害状態に応答して実行可能な、前記２次コンポーネントキャリア上でセル探索を実行するための手段と、
前記セル探索中に、１つまたは複数の同期信号の品質に基づいて、１つまたは複数の構成された２次セルとの前記２次コンポーネントキャリア上での前記通信リンクを復元するための手段と
をさらに備える、請求項１１に記載の装置。
【請求項１３】
前記１つまたは複数の構成された２次セルとの前記通信リンクを復元するための前記手段が、前記モバイルデバイスによって、前記セル探索中に検出された探索オフセットを使用して１つまたは複数の２次セルトラッキングループを更新するための手段を備え、
前記１つまたは複数の２次セルトラッキングループを更新するための前記手段が、前記１つまたは複数の２次セルトラッキングループを再初期化することを含む、
請求項１２に記載の装置。
【請求項１４】
前記障害状態に応答して実行可能な、
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングするための手段
をさらに備える、請求項１１に記載の装置。
【請求項１５】
ワイヤレスネットワークにおけるワイヤレス通信のためのコンピュータプログラム製品であって、
プログラムコードを記録した非一時的コンピュータ可読媒体を備え、前記プログラムコードは、
モバイルデバイスにおいて、２次セルとの前記２次コンポーネントキャリア上での通信リンクの障害を示すイベントについて、前記２次セルのダウンリンク無線リンク品質を監視することをコンピュータに行わせるためのプログラムコードと、
前記イベントを検出したことに応答して、前記２次セルの障害状態を宣言することを前記コンピュータに行わせるためのプログラムコードと、なお、障害状態の間に前記モバイルデバイスが前記２次コンポーネントキャリアに関係する動作を調整する、
を含む、
コンピュータプログラム製品。
【請求項１６】
前記障害状態を宣言したことに応答して実行される、
前記モバイルデバイスにおいて、前記２次セルに関連するＲＦ受信機を無効にすることを前記コンピュータに行わせるためのプログラムコード、
前記モバイルデバイスにおいて、前記２次セルに関連する復調経路を無効にすることを前記コンピュータに行わせるためのプログラムコード、
前記モバイルデバイスにおいて、前記２次セルに関連する変調経路を無効にすることを前記コンピュータに行わせるためのプログラムコード、
前記モバイルデバイスにおいて電力を低減することを前記コンピュータに行わせるためのプログラムコード、または
それらの２つまたはそれ以上の組合せ
をさらに備える、請求項１５に記載のコンピュータプログラム製品。
【請求項１７】
前記モバイルデバイスにおいて電力を低減することを前記コンピュータに行わせるための前記プログラムコードが、
前記モバイルデバイス中のいくつかのコンポーネントの電圧レベルを低下させることを前記コンピュータに行わせるためのプログラムコード、
前記モバイルデバイス中のいくつかのコンポーネントの前記電圧レベルを無効にすることを前記コンピュータに行わせるためのプログラムコード、
前記モバイルデバイス中のいくつかのコンポーネントの周波数レベルを低下させることを前記コンピュータに行わせるためのプログラムコード、
前記モバイルデバイス中のいくつかのコンポーネントの前記周波数レベルを無効にすることを前記コンピュータに行わせるためのプログラムコード、または
それらの２つまたはそれ以上の組合せ
のうちの１つを含む、請求項１６に記載のコンピュータプログラム製品。
【請求項１８】
前記障害状態に応答して実行可能な、前記２次コンポーネントキャリア上でセル探索を実行することを前記コンピュータに行わせるためのプログラムコードと、
前記セル探索中に、１つまたは複数の同期信号の品質に基づいて、１つまたは複数の構成された２次セルとの前記２次コンポーネントキャリア上での前記通信リンクを復元することを前記コンピュータに行わせるためのプログラムコードと
をさらに備える、請求項１６に記載のコンピュータプログラム製品。
【請求項１９】
前記障害状態に応答して実行可能な、前記１つまたは複数の構成された２次セルの、前記１つまたは複数の同期信号、またはセル固有基準信号、のうちの１つまたは複数の前記品質の測定を実行することを前記コンピュータに行わせるためのプログラムコードをさらに備え、ここにおいて、復元することを前記コンピュータに行わせるための前記プログラムコードは、前記品質が通信のための少なくともしきい値品質を満たすとき、前記１つまたは複数の構成された２次セルとの前記２次コンポーネントキャリア上での前記通信リンクを復元することを前記コンピュータに行わせるためのプログラムコードを含む、
請求項１８に記載のコンピュータプログラム製品。
【請求項２０】
前記１つまたは複数の構成された２次セルとの前記通信リンクを復元することを前記コンピュータに行わせるための前記プログラムコードが、
前記モバイルデバイスにおいて、前記１つまたは複数の構成された２次セルに関連するＲＦ受信機を使用可能にすることを前記コンピュータに行わせるためのプログラムコード、
前記モバイルデバイスにおいて、前記１つまたは複数の構成された２次セルに関連する復調経路をアクティブにすることを前記コンピュータに行わせるためのプログラムコード、
前記モバイルデバイスにおいて、前記１つまたは複数の構成された２次セルに関連する変調経路をアクティブにすることを前記コンピュータに行わせるためのプログラムコード、
前記モバイルデバイスにおいて電力を回復させることを前記コンピュータに行わせるためのプログラムコード、または
それらの２つまたはそれ以上の組合せ
のうちの１つを含む、請求項１８に記載のコンピュータプログラム製品。
【請求項２１】
前記１つまたは複数の構成された２次セルとの前記通信リンクを復元することを前記コンピュータに行わせるための前記プログラムコードが、前記モバイルデバイスによって、前記セル探索中に検出された探索オフセットを使用して１つまたは複数の２次セルトラッキングループを更新することを前記コンピュータに行わせるためのプログラムコードを備え、
前記１つまたは複数の２次セルトラッキングループを更新することを前記コンピュータに行わせるための前記プログラムコードが、前記１つまたは複数の２次セルトラッキングループを再初期化することを前記コンピュータに行わせるためのプログラムコードを含む、
請求項１８に記載のコンピュータプログラム製品。
【請求項２２】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項１５に記載のコンピュータプログラム製品。
【請求項２３】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、なお、障害状態の間に前記モバイルデバイスが前記２次コンポーネントキャリアに関係する動作を調整する、
を行うように構成された、
装置。
【請求項２４】
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せ
を行うための前記少なくとも１つのプロセッサの構成をさらに備える、請求項２３に記載の装置。
【請求項２５】
前記モバイルデバイスにおいて電力を低減するための前記少なくとも１つのプロセッサの前記構成が、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
を行うための前記少なくとも１つのプロセッサの構成のうちの１つを含む、請求項２４に記載の装置。
【請求項２６】
前記少なくとも１つのプロセッサが、
前記障害状態に応答して、前記２次コンポーネントキャリア上でセル探索を実行することと、
前記セル探索中に、１つまたは複数の同期信号のうちの１つの品質に基づいて、１つまたは複数の構成された２次セルとの前記２次コンポーネントキャリア上での前記通信リンクを復元することと
を行うようにさらに構成された、請求項２４に記載の装置。
【請求項２７】
前記障害状態に応答して、前記１つまたは複数の構成された２次セルの、前記１つまたは複数の同期信号、またはセル固有基準信号、のうちの１つまたは複数の前記品質の測定を実行するための前記少なくとも１つのプロセッサの構成をさらに備え、ここにおいて、復元するための前記少なくとも１つのプロセッサの前記構成は、前記品質が通信のための少なくともしきい値品質を満たすとき、前記１つまたは複数の構成された２次セルとの前記２次コンポーネントキャリア上での前記通信リンクを復元するための構成を含む、請求項２６に記載の装置。
【請求項２８】
前記１つまたは複数の構成された２次セルとの前記２次コンポーネントキャリア上での前記通信リンクを復元するための前記少なくとも１つのプロセッサの前記構成が、
前記モバイルデバイスにおいて、前記１つまたは複数の構成された２次セルに関連するＲＦ受信機を使用可能にすること、
前記モバイルデバイスにおいて、前記１つまたは複数の構成された２次セルに関連する復調経路をアクティブにすること、
前記モバイルデバイスにおいて、前記１つまたは複数の構成された２次セルに関連する変調経路をアクティブにすること、
前記モバイルデバイスにおいて電力を回復させること、または
それらの２つまたはそれ以上の組合せ
のうちの１つを行うための前記少なくとも１つのプロセッサの構成を含む、請求項２６に記載の装置。
【請求項２９】
前記１つまたは複数の構成された２次セルとの前記通信リンクを復元するための前記少なくとも１つのプロセッサの前記構成が、前記モバイルデバイスによって、前記セル探索中に検出された探索オフセットを使用して１つまたは複数の２次セルトラッキングループを更新するための構成を備え、
前記１つまたは複数の２次セルトラッキングループを更新するための前記少なくとも１つのプロセッサの前記構成が、前記１つまたは複数の２次セルトラッキングループを再初期化するための構成を含む、
請求項２６に記載の装置。
【請求項３０】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項２３に記載の装置。
【発明の詳細な説明】
【技術分野】
【０００１】
関連出願の相互参照
[0001]本出願は、その全体が参照により本明細書に明確に組み込まれる、２０１３年３月１２日に出願された「MANAGING SECONDARY CELL CONNECTIONS」と題する米国仮特許出願第６１／７７８，２３３号の利益を主張する。
【０００２】
[0002]本開示の態様は、一般にワイヤレス通信システムに関し、より詳細には、２次セル接続（secondary cell connections）を管理することに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上無線アクセスネットワーク（ＵＴＲＡＮ：Universal Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術、ユニバーサルモバイル電気通信システム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、近隣基地局（neighbor base stations）からの送信、または他のワイヤレス無線周波数（ＲＦ）送信機からの送信、による干渉に遭遇することがある。アップリンク上では、ＵＥからの送信は、近隣基地局と通信する他のＵＥのアップリンク送信からの干渉、または他のワイヤレスＲＦ送信機からの干渉、に遭遇することがある。この干渉は、ダウンリンクとアップリンクの両方で性能を劣化させることがある。
【０００６】
[0006]モバイルブロードバンドアクセスに対する需要が増加し続けるにつれて、干渉および密集したネットワーク（congested networks）の可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信でのユーザエクスペリエンス（user experience）を進化および向上させるためにもＵＭＴＳ技術を進化させる研究および開発が続けられている。
【発明の概要】
【０００７】
[0007]本開示の一態様における、キャリアアグリゲーション（carrier aggregation）を使用するワイヤレス通信ネットワークにおける２次コンポーネントキャリア（a secondary component carrier）上でのワイヤレス通信のための方法。本方法は、モバイルデバイスにおいて、１つまたは複数の構成された２次セル（configured secondary cells）のうちの少なくとも１つとの通信リンクの障害を示すイベントについて、その構成された２次セルのダウンリンク無線リンク品質を監視することと、そのイベントを検出したことに応答して、構成された２次セルのうちの少なくとも１つに関する障害状態（a failure state）を宣言することと、なお障害状態の間にモバイルデバイスが２次コンポーネントキャリアに関係する動作を調整する、を含む。
【０００８】
[0008]本開示の追加の態様は、モバイルデバイスにおいて、１つまたは複数の構成された２次セルのうちの少なくとも１つとの通信リンクの障害を示すイベントについて、その構成された２次セルのダウンリンク無線リンク品質を監視するための手段と、そのイベントを検出したことに応答して、構成された２次セルのうちの少なくとも１つに関する障害状態を宣言するための手段と、なお、障害状態の間にモバイルデバイスが２次コンポーネントキャリアに関係する動作を調整する、を含む、キャリアアグリゲーションを使用するワイヤレス通信ネットワークにおける２次コンポーネントキャリア上でのワイヤレス通信のための装置を対象とする。
【０００９】
[0009]本開示の追加の態様は、プログラムコードを記録した非一時的コンピュータ可読媒体を含む、ワイヤレスネットワークにおけるワイヤレス通信のためのコンピュータプログラム製品を対象とする。本プログラムコードは、モバイルデバイスにおいて、１つまたは複数の構成された２次セルのうちの少なくとも１つとの通信リンクの障害を示すイベントについて、その２次セルのダウンリンク無線リンク品質を監視することをコンピュータに行わせるためのコードと、そのイベントを検出したことに応答して、構成された２次セルのうちの少なくとも１つに関する障害状態を宣言することをコンピュータに行わせるためのコードと、なお、障害状態の間にモバイルデバイスが２次コンポーネントキャリアに関係する動作を調整する、を含む。
【００１０】
[0010]本開示の追加の態様は、ワイヤレス通信のために構成された装置を対象とする。本装置は、少なくとも１つのプロセッサと、プロセッサに結合されたメモリとを含む。本プロセッサは、モバイルデバイスにおいて、１つまたは複数の構成された２次セルのうちの少なくとも１つとの通信リンクの障害を示すイベントについて、その２次セルのダウンリンク無線リンク品質を監視することと、そのイベントを検出したことに応答して、構成された２次セルのうちの少なくとも１つに関する障害状態を宣言することと、なお、障害状態の間にモバイルデバイスが２次コンポーネントキャリアに関係する動作を調整する、を行うように構成される。
【図面の簡単な説明】
【００１１】
【図１】[0011]モバイル通信システムの一例を概念的に示すブロック図。
【図２】[0012]本開示の一態様に従って構成された基地局／ｅＮＢおよびＵＥの設計を概念的に示すブロック図。
【図３】[0013]本開示の一態様に従って構成されたワイヤレスネットワークを示すブロック図。
【図４】[0014]本開示の一態様を実装するために実行される例示的なブロックを示す機能ブロック図。
【図５】[0015]本開示の一態様に従って構成されたＵＥを示すタイミング図。
【図６】[0016]本開示の一態様に従って構成されたＵＥを示すブロック図。
【詳細な説明】
【００１２】
[0017]添付の図面に関して以下に示す詳細な説明は、様々な構成を説明するものであり、本開示の範囲を限定するものではない。そうではなく、詳細な説明は、本発明の主題の完全な理解を与えるための具体的な詳細を含む。これらの具体的な詳細は、あらゆる場合において必要とされるとは限らないことと、いくつかの事例では、よく知られている構造およびコンポーネントは提示を明快にするためにブロック図の形式で示されることとが当業者には明らかであろう。
【００１３】
[0018]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイル電気通信システム（ＵＭＴＳ）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術のために使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１４】
[0019]図１に、ＬＴＥ−Ａネットワークであり得る、通信のためのワイヤレスネットワーク１００を示す。ワイヤレスネットワーク１００は、いくつかの発展型ノードＢ（ｅＮＢ）１１０と他のネットワークエンティティとを含む。ｅＮＢは、ＵＥと通信する局であり得、基地局、ノードＢ、アクセスポイントなどと呼ばれることもある。各ｅＮＢ１１０は、特定の地理的エリアに対して通信カバレージを与え得る。３ＧＰＰでは、「セル」という用語は、その用語が使用される状況に応じて、ｅＮＢのこの特定の地理的カバレージエリアおよび／またはそのカバレージエリアをサービスするｅＮＢサブシステムを指すことがある。
【００１５】
[0020]ｅＮＢは、マクロセル、ピコセル、フェムトセル、および／または他のタイプのセルに対して通信カバレージを与え得る。マクロセルは、概して、比較的大きい地理的エリア（たとえば、半径数キロメートル）をカバーし、ネットワークプロバイダとのサービスに加入しているＵＥによる無制限アクセスを可能にし得る。ピコセルは、概して、比較的小さい地理的エリアをカバーすることになり、ネットワークプロバイダとのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ＵＥ１２０ｘをサービスする、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００１６】
[0021]ワイヤレスネットワーク１００はまた、中継局を含み得る。中継局は、上流局（an upstream station）（たとえば、ｅＮＢ、ＵＥなど）からデータおよび／または他の情報の送信を受信し、そのデータおよび／または他の情報の送信を下流局（a downstream station）（たとえば、別のＵＥ、別のｅＮＢなど）に送る局である。中継局はまた、他のＵＥに対する送信を中継するＵＥであり得る。図１に示す例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００１７】
[0022]ワイヤレスネットワーク１００は、同期動作または非同期動作をサポートし得る。同期動作の場合、ｅＮＢは同様のフレームタイミングを有し得、異なるｅＮＢからの送信は近似的に時間的に整列させられ（aligned in time）得る。非同期動作の場合、ｅＮＢは異なるフレームタイミングを有し得、異なるｅＮＢからの送信は時間的に整列させられないことがある。
【００１８】
[0023]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。
【００１９】
[0024]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００２０】
[0025]ＬＴＥ／−Ａでは、ｅＮＢは、ｅＮＢ中の各セルに関する１次同期信号（ＰＳＳ）と２次同期信号（ＳＳＳ）とを送り得る。ｅＮＢは、ｅＮＢによって使用されるシステム帯域幅の中心１．０８ＭＨｚにおいてＰＳＳ、ＳＳＳおよび物理ブロードキャストチャネル（ＰＢＣＨ）を送り得る。ｅＮＢは、物理制御フォーマットインジケータチャネル（ＰＣＦＩＣＨ）と物理ハイブリッド自動再送要求（ＨＡＲＱ）インジケータチャネル（ＰＨＩＣＨ）とが送られる各シンボル期間中で、全システム帯域幅にわたってこれらのチャネルを送り得る。ｅＮＢは、システム帯域幅のいくつかの部分においてＵＥのグループに物理ダウンリンク制御チャネル（ＰＤＣＣＨ）を送り得る。ｅＮＢは、システム帯域幅の特定の部分において特定のＵＥに物理ダウンリンク共有チャネル（ＰＤＳＣＨ）を送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２１】
[0026]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００２２】
[0027]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００２３】
[0028]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）などの様々な基準に基づいて選択され得る。
【００２４】
[0029]ワイヤレスネットワーク１００は、単位面積当たりのシステムのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異機種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。概して、かなり低い電力レベル（たとえば、１００ｍＷ〜２Ｗ）で送信する、ピコｅＮＢ１１０ｘおよび中継局１１０ｒは、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアな（aware）ｅＮＢとして、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００２５】
[0030]ワイヤレスネットワーク１００など、異機種ネットワークの動作中、各ＵＥは、通常、より良い信号品質をもつｅＮＢ１１０によってサービスされ、他のｅＮＢ１１０から受信した不要な信号は干渉として扱われる。そのような動作プリンシパル（operational principals）は、著しく準最適な性能（sub-optimal performance）をもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワーク性能の利益（gains）が実現される。
【００２６】
[0031]ワイヤレスネットワーク１００など、異機種ネットワークの展開では、ＵＥは、ＵＥが１つまたは複数の干渉ｅＮＢからの高い干渉を観測し得る支配的干渉シナリオ（a dominant interference scenario）において動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることが可能でないことがあり、次いで、（図１に示されているように）マクロｅＮＢ１１０ｃに、または（図１に示されていない）同じくより低い受信電力をもつフェムトｅＮＢ１１０ｚに、接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理（coordinated interference management）を使用すると、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、ＵＥ１２０ｙがその同じチャネルを介してｅＮＢ１１０ｃと通信するときと同程度の、フェムトｅＮＢ１１０ｙからの干渉を、ＵＥ１２０ｙが経験しないように、それのチャネルリソースのうちの１つ上での送信を中止することに同意する。
【００２７】
[0032]図２に、図１中の基地局／ｅＮＢのうちの１つであり得る基地局／ｅＮＢ１１０および図１中のＵＥのうちの１つであり得るＵＥ１２０の設計のブロック図を示す。制限された関連付けシナリオの場合、ｅＮＢ１１０は図１中のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はアンテナ２３４ａ〜２３４ｔを装備し得、ＵＥ１２０はアンテナ２５２ａ〜２５２ｒを装備し得る。
【００２８】
[0033]ｅＮＢ１１０において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データシンボルと制御シンボルとを取得するために、それぞれデータと制御情報とを処理（たとえば、符号化およびシンボルマッピング）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００２９】
[0034]ＵＥ１２０において、アンテナ２５２ａ〜２５２ｒは、ｅＮＢ１１０からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４は、受信シンボルを取得するために、（たとえば、ＯＦＤＭなどのために）入力サンプルをさらに処理し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８は、検出シンボルを処理（たとえば、復調、デインターリーブ、および復号）し、ＵＥ１２０のための復号されたデータをデータシンク２６０に与え、復号された制御情報をコントローラ／プロセッサ２８０に与え得る。
【００３０】
[0035]アップリンク上では、ＵＥ１２０において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭなどのために）変調器２５４ａ〜２５４ｒによって処理され、ｅＮＢ１１０に送信され得る。ｅＮＢ１１０において、ＵＥ１２０からのアップリンク信号は、アンテナ２３４によって受信され、復調器２３２によって処理され、適用可能な場合はＭＩＭＯ検出器２３６によって検出され、ＵＥ１２０によって送られた復号されたデータおよび制御情報を取得するために、さらに受信プロセッサ２３８によって処理され得る。プロセッサ２３８は、復号されたデータをデータシンク２３９に与え、復号された制御情報をコントローラ／プロセッサ２４０に与え得る。
【００３１】
[0036]コントローラ／プロセッサ２４０および２８０は、それぞれｅＮＢ１１０における動作およびＵＥ１２０における動作を指示し得る。ｅＮＢ１１０におけるコントローラ／プロセッサ２４０および／または他のプロセッサおよびモジュールは、本明細書で説明する技法のための様々なプロセスを実行するか、またはその実行を指示し得る。ＵＥ１２０におけるコントローラ／プロセッサ２８０および／または他のプロセッサとモジュールはまた、図４に示す機能ブロック、および／または本明細書で説明する技法のための他のプロセス、を実行するか、またはその実行を指示し得る。メモリ２４２および２８２は、それぞれｅＮＢ１１０およびＵＥ１２０のためのデータおよびプログラムコードを記憶し得る。スケジューラ２４４は、ダウンリンクおよび／またはアップリンク上でのデータ送信のためにＵＥをスケジューリングし得る。
【００３２】
[0037]ＬＴＥ−Ａ  ＵＥは、各方向において送信のために使用される最高合計１００ＭＨｚ（５つのコンポーネントキャリア）のキャリアアグリゲーションにおいて割り当てられた、最高２０ＭＨｚ帯域幅のスペクトルを使用する。概して、アップリンク上ではダウンリンクよりも少ないトラフィックが送信され、したがって、アップリンクスペクトル割振り（uplink spectrum allocation）はダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当て（asymmetric FDD assignments）は、スペクトルを節約し、ブロードバンド加入者による一般に非対称な帯域利用にぴったり合う（a good fit for）。
【００３３】
[0038]ＬＴＥ−Ａモバイルシステムのために、２つのタイプのキャリアアグリゲーション（ＣＡ）方法、すなわち、連続ＣＡ（continuous CA）および非連続ＣＡ（non-continuous CA）が提案されている。非連続ＣＡは、複数の利用可能なコンポーネントキャリアが周波数帯域に沿って分離されたときに生じる。一方、連続ＣＡは、複数の利用可能なコンポーネントキャリアが互いに隣接するときに生じる。非連続ＣＡと連続ＣＡの両方は、ＬＴＥ−Ａ  ＵＥの単一ユニットをサービスするために複数のＬＴＥ／コンポーネントキャリアをアグリゲートする（aggregate）。
【００３４】
[0039]様々な態様によれば、ＣＡにおいて動作するＵＥは、「１次コンポーネントキャリア（primary component carriers）」と呼ばれることがある、同じキャリア上で、制御機能およびフィードバック機能など、複数のキャリアのいくつかの機能をアグリゲートするように構成され得る。１次コンポーネントキャリアを使用してＵＥと通信するネットワークエンティティ、ｅＮＢ、アクセスポイントなどは「１次セル（primary cells）」または「ＰＣｅｌｌ」と呼ばれる。サポートのために１次キャリアに依存する残りのキャリアは、「２次コンポーネントキャリア（secondary component carriers）」と呼ばれる。２次コンポーネントキャリアを使用してＵＥと通信するネットワークエンティティ、ｅＮＢ、アクセスポイントなどは「２次セル（secondary cells）」または「ＳＣｅｌｌ」と呼ばれる。たとえば、ＵＥは、随意の専用チャネル（ＤＣＨ）、スケジュールされない許可（nonscheduled grants）、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅＮＢによってＵＥに、およびアップリンク上でＵＥによってｅＮＢに送信され得る。
【００３５】
[0040]セルラーネットワーク、特にＬＴＥネットワークでは、ＵＥは、１次セルの受信信号の無線リンクの品質を監視することが予想される。ＵＥにおける無線リンク監視（radio link monitoring）（ＲＬＭ）の目的は、接続状態にある１次サービングセルのダウンリンク無線リンク品質を監視することであり、セル固有基準信号（ＲＳ）に基づき得る。これは、ＵＥが、接続状態にあるとき、ＵＥがＵＥの１次サービングセルに対して同期しているのか或いは同期していないのか（is in-sync or out-of-sync）を決定することを可能にし得る。動作中、それぞれ連続同期インジケータおよび連続同期外れインジケータ（consecutive in-sync and out-of-sync indicators）を計数するためにカウンタが使用され得る。連続１次セル同期外れカウンタ（consecutive primary cell out-of-sync counter）がある数またはしきい値を超えた場合、ＵＥは、ネットワーク構成された無線リンク障害タイマー（a network-configured radio link failure timer）を開始し得る。そのタイマーは、連続同期カウンタ（consecutive in-sync counter）が、ＵＥの物理レイヤによって報告された一定数の連続同期指示（consecutive in-sync indications）を記録した場合、満了より前に停止され得る。同期外れカウンタと同期カウンタの両方は、一般に、ネットワークによって構成される。タイマーの満了時に、同期カウンタによって停止されていなければ、無線リンク障害（ＲＬＦ）がＵＥにおいて起こり、したがって、ＵＥは、無線通信リンクを再確立するために再確立プロシージャを開始し得る。
【００３６】
[0041]ダウンリンク無線リンク品質のＵＥの推定値は、ＲＬＭの目的で同期外れしきい値および同期しきい値（out-of-sync and in-sync thresholds）と比較され得る。同期外れしきい値および同期しきい値はサービングセルからの仮想的ＰＤＣＣＨ送信（a hypothetical PDCCH transmission）のブロックエラーレート（ＢＬＥＲ）に関して表され得る。同期外れしきい値は１０％のＢＬＥＲに対応し得、同期しきい値は２％のＢＬＥＲに対応し得る。同じしきい値レベルが間欠受信（discontinuous reception）（ＤＲＸ）を用いておよび用いないで適用可能であり得る。セル固有ＲＳベースのダウンリンク品質と仮想的ＰＤＣＣＨ  ＢＬＥＲとの間のマッピングはＵＥ実装設計選択肢（a UE implementation design choice）であり得る。
【００３７】
[0042]キャリアアグリゲーションの場合、ＲＬＭ要件は１次セルにのみ当てはまることがあり、ＵＥは２次セルのＲＬＭ監視を実行しないことがある。言い換えれば、ＵＥが２次セルで構成されたとき、それは、ダウンリンク無線リンク品質を検出するために、および同期外れ指示／同期指示を上位レイヤに送るために、１次セルを使用し得る。ｅＮＢは、ＣＱＩまたは他のそのような測定報告を介して２次セルの無線リンク品質を決定し得る。
【００３８】
[0043]ＵＥは、マルチパスまたはドップラーシフト効果によるある量の時間シフトまたは周波数シフトまでを訂正する（correct up to）ことができる時間／周波数トラッキングループ（time/frequency tracking loops）を含む復調経路を動作させ得る。これらのトラッキングループは、概して、限られた訂正能力を有し、関連する２次セルとの接続の開始時間において初期化され得る。適切な初期化がない場合、（１）トラッキングループは収束しないことがあるか、または（２）収束時間は数十ミリ秒から数百ミリ秒と同じ高さであり得、これは、一般的なサブフレーム持続時間（たとえば、ＬＴＥの場合、１ｍｓ）よりも何倍も高くなり得る。
【００３９】
[0044]キャリアアグリゲーションのコンテキストでは、ＵＥが１つまたは複数の２次セルで構成されたときに以下の状況が発生することがある。（１）ＵＥが２次セルレンジ（またはカバレージエリア）の外側にあり、次いで、アクティブ化の後しばらくして２次セルレンジ中に移動するとき、２次セルがＵＥのためにアクティブにされ得る。（２）たとえば、２次セルカバレージ拡張のためにリモートラジオヘッド（remote-radio-heads）（ＲＲＨ）が使用されるときなど、１次セル／２次セルタイミング差が、ＵＥが２次セルレンジを出た時間とは実質的に異なるとき（たとえば、ＬＴＥ仕様が最高３１．３μｓのＰＣｅｌｌ／ＳＣｅｌｌタイミング差を許すことを考慮すると、理論的には最高６２．６μｓ）、ＵＥが一時的に２次セルレンジ外に移動し、次いで、２次セルのレンジ中に戻る。（３）２次セルのＲＦチェーンが、別のワイヤレス技術（日和見的ＣＡ（opportunistic CA））にアクセスするために使用されるために放棄され得、長い持続時間の後にＬＴＥスタックに返される。たとえば、別の技術（たとえば、同時ボイスＬＴＥ（Simultaneous Voice LTE）（ＳＶ−ＬＴＥ）、デュアルＳＩＭ、デュアルアクティブ（ＤＳＤＡ）技術など）のセルの周波数に同調するために２次セルのＲＦチェーンおよび復調経路が使用され得る。動作中、ＵＥは、１ｘシステム上の回線交換呼（a circuit switched call）など、別の技術呼に答えるために２次セルを監視することを停止し、次いで、しばらくして、２次セルを監視することに戻り得る。
【００４０】
[0045]ＳＣｅｌｌとの接続のアクティブな管理がない場合、ＵＥが、ＳＣｅｌｌカバレージの外にあり、および／またはＳＣｅｌｌの時間／周波数を追跡することが可能でない時間の間、トラッキングループの状態は、古くなり（become obsolete）得、ランダム状態に脱収束し（de-converge to）得る。したがって、トラッキングループが再収束することが不可能になり得るか、または、ＵＥがＳＣｅｌｌカバレージエリアに戻ると、収束時間が非常に長くなり得る。これは、ＰＣｅｌｌとＳＣｅｌｌとの間の時間オフセット変動が最高３１．３μｓであり得るので、時間トラッキングループの時間オフセットに関して重要であり得る。
【００４１】
[0046]本開示の様々な態様は、たとえば、ＳＣｅｌｌからの基準信号の受信電力がしきい値を下回ったときに、カバレージの損失などによる障害イベントを検出するために、または、たとえば、ＢＬＥＲがしきい値エラーレートを超えたときに、低下させられた復調性能を検出するために、ＵＥとＳＣｅｌｌとの間のリンク品質について監視することを与える。そのような障害イベントが検出されたとき、ＵＥは、障害イベントに関連するＳＣｅｌｌとの接続について障害状態を宣言する。障害状態を宣言する際に、ＵＥは、それ自身のために障害状態を決定している。本出願の目的では、ＳＣｅｌｌとの障害状態を宣言したＵＥは、そのような障害が発生したＵＥの外部の何らかのネットワークエンティティにシグナリングすることを含まない。宣言された障害状態はＵＥの内部のものである。この障害状態に基づいて、ＵＥは、ＳＣｅｌｌへの接続に関連するいくつかのコンポーネント／モジュールおよび／または動作を中断するかまたは非アクティブにすること、無線周波数（ＲＦ）チップ状態を変更すること（たとえば、ＲＦチップを無効にすることまたはＲＦチップをより低い電力モードに置くこと、受信を有効に保ちながら送信を無効にすることなど）、ＳＣｅｌｌのための送信経路および受信経路を中断すること、デバイスコンポーネントの電力レベルまたは電圧レベルを低減すること、いくつかのデバイスコンポーネントのメモリ使用量または動作周波数を変更することなどによって動作を調整し得る。そのような障害状態が宣言されたとき、ＵＥは、関連するＳＣｅｌｌへの接続を維持することに関連するいくつかのリソースが必要でないとき、リソース消費を低減し得る。
【００４２】
[0047]また、障害状態を宣言したことに応答して、ＵＥはＳＣｅｌｌについてのセル探索を開始し得る。セル探索は、ＳＣｅｌｌのＰＳＳ／ＳＳＳを監視する狭帯域探索であり得る。ＳＣｅｌｌが検出されたとき、ＵＥは、ＳＣｅｌｌとの接続または通信リンクを復元する（recover）または回復させる（restore）ために探索の結果を使用し得る。接続は、ＵＥが、検出されたＳＣｅｌｌとの通信を確立することが可能であるとき、ＳＣｅｌｌを介して受信されたデータの復号が行われ得る品質レベルに復元または回復される。いくつかの状況では、復元または回復されたＳＣｅｌｌは、障害イベントに関連する同じＳＣｅｌｌであり得る。他の状況では、復元されたＳＣｅｌｌは、事実上、ＵＥがそのＳＣｅｌｌのカバレージエリアのレンジ外にあったときにアクティブにされた新しいＳＣｅｌｌであり得る。ＵＥは、復元されたＳＣｅｌｌの時間／周波数トラッキングループを初期化または再初期化するために、探索からの結果を使用し得る。
【００４３】
[0048]図３は、本開示の一態様に従って構成されたＵＥ３００をサービスするワイヤレスネットワーク３０を示すブロック図である。時間ｔ１において、ＵＥ３００は、カバレージエリア３１内のｅＮＢ３０１およびカバレージエリア３２内のリモートラジオヘッド（ＲＲＨ）３０２と通信している。ワイヤレスネットワーク３０は、キャリアアグリゲーションを使用するように構成される。ＵＥ３００は、ＰＣｅｌｌ、ｅＮＢ３０１を通して１次コンポーネントキャリアを使用して通信する。ワイヤレスネットワーク３０は、ＵＥ３００へのＳＣｅｌｌとして２次コンポーネントキャリア上で通信するためのＲＲＨ３０２を割り当て、アクティブにする。時間ｔ１において、ＵＥ３００は、ＰＣｅｌｌ  ｅＮＢ３０１と通信しており、また、ＳＣｅｌｌ  ＲＲＨ３０２からの２次コンポーネントキャリア上の通信を復号している。また、時間ｔ１において、ワイヤレスネットワーク３０は、ＵＥ３００のためのＳＣｅｌｌとしてアクセスポイント３０３を割り当て、アクティブにする。ＵＥ３００は、アクセスポイント３０１のこの割当てを通知されることもされないこともある。しかしながら、時間ｔ１において、ＵＥ３００はアクセスポイント３０３のカバレージエリア３３内にない。したがって、ＵＥ３００がアクセスポイント３０３を検出することができないので、それは、低いまたは０のＣＱＩまたは範囲外ＣＱＩ指示（out-of-range CQI indication）および／またはランクインジケータのための低い値を通してなど、ＰＣｅｌｌ  ｅＮＢ３０１を通して、ワイヤレスネットワーク３０にこの障害を報告する。
【００４４】
[0049]時間ｔ２において、ＵＥ３００は、ＳＣｅｌｌアクセスポイント３０３のカバレージエリア３３中に、およびＳＣｅｌｌ  ＲＲＨ３０２のカバレージエリア３２外に進んだ。ＵＥ３００は、ＳＣｅｌｌ  ＲＲＨ３０２との接続または通信リンクのリンク品質を監視する。障害イベントが検出されたとき、ＵＥ３００はそれ自身のためにＳＣｅｌｌ  ＲＲＨ３０２との障害状態を宣言する。この障害イベントは、ＳＣｅｌｌ  ＲＲＨ３０２の基準信号受信電力（ＲＳＲＰ）を監視することによって、または代替的に、復調性能が特定のしきい値を下回ったと決定することによって検出され得る。復調性能は、ＳＣｅｌｌ  ＲＲＨ３０２など、ＳＣｅｌｌに関連するＢＬＥＲの決定を通して測定され得る。障害状態に応答して、ＵＥ３００は、受信経路および送信経路への電力を低減すること、ＳＣｅｌｌ  ＲＲＨ３０２との復調経路を中断することなど、ＳＣｅｌｌ  ＲＲＨ３０２への接続に関連するいくつかのコンポーネントおよび／または動作を中断するかまたは非アクティブにすることによって動作を変更し得る。ＵＥ３００はまた、障害状態が宣言されたことに応答して、ＳＣｅｌｌ  ＲＲＨ３０２についてのセル探索を開始し得る。
【００４５】
[0050]ＳＣｅｌｌアクセスポイント３０３に関して、アクセスポイント３０３は、時間ｔ１においてＵＥ３００のためのＳＣｅｌｌとしてワイヤレスネットワーク３０によってアクティブにされ得る。しかしながら、ＳＣｅｌｌアクセスポイント３０３のアクティブ化時に、ＵＥ３００はＳＣｅｌｌアクセスポイント３０３のカバレージエリア３３内にないことがある。ＵＥ３００がＳＣｅｌｌアクセスポイント３０３のカバレージエリア３３に入ったとき、ＵＥ３００はＳＣｅｌｌアクセスポイント３０３のＰＳＳ／ＳＳＳを検出することを開始し得る。ＵＥ３００は、次いで、時間ｔ２において、時間／周波数トラッキングループを初期化し、ＳＣｅｌｌアクセスポイント３０３との接続を確立し得る。接続が確立されると、ＵＥ３００は、ＳＣｅｌｌ  ＲＲＨ３０２の接続に関連したコンポーネントおよび／または動作を中断解除する（unsuspend）かまたはアクティブにし、ＳＣｅｌｌアクセスポイント３０３についてワイヤレスネットワーク３０にＣＱＩを報告することを開始し、その後、ワイヤレスネットワーク３０は、ＳＣｅｌｌアクセスポイント３０３を通して２次コンポーネントキャリア上でＵＥ３００にデータを送信することを開始し得、それによりＵＥ３００に追加の帯域幅を与える。
【００４６】
[0051]ＳＣｅｌｌアクセスポイント３０３は、障害状態がＳＣｅｌｌ  ＲＲＨ３０２との接続の障害に関して宣言されたときに開始するセル探索中に検出され得ることに留意されたい。そのような場合、ＵＥ３００は、セル探索からの復元された時間／周波数オフセットデータを、ＳＣｅｌｌ  ＲＲＨ３０２に関連する前の時間／周波数トラッキングループによって維持された以前の時間／周波数オフセットデータと比較する。２次セルとの通常接続中に、ＵＥは、時間／周波数トラッキングループに関連する時間／周波数オフセットデータを監視する。ＵＥは、接続が失われたとき、この時間／周波数オフセットデータを維持し、このオフセットデータは、２次セルが再び検出されたとき、時間／周波数オフセットの探索値と比較される。時間／周波数オフセットの前の値と探索値との間の差が小さいか、または少なくとも時間／周波数トラッキングループのプルインレンジ（pull-in range）内にある場合、トラッキングループは再初期化されないことがある。しかしながら、オフセット値がトラッキングループのプルインレンジ外の量だけ同期していない（out-of-sync by an amount outside of the pull-in range）とき、ＵＥ３００は、セル探索から得られたオフセットデータを使用して時間／周波数オフセットデータをトラッキングループに再ポピュレートする（repopulate）。
【００４７】
[0052]時間ｔ３において、ＵＥ３００は、それぞれＳＣｅｌｌアクセスポイント３０３のカバレージエリア３２およびＰＣｅｌｌ  ｅＮＢ３０１のカバレージエリア３１内にとどまりながら、ＳＣｅｌｌ  ＲＲＨ３０２のカバレージエリア３２中に戻り得る。ＵＥ３００は利用可能なＳＣｅｌｌを探索し続け得る。ＵＥ３００は最初にＳＣｅｌｌ  ＲＲＨ３０２のカバレージエリア３２に再び入るので、セル探索は、ＳＣｅｌｌ  ＲＲＨ３０２からのＰＳＳ／ＳＳＳを検出し、および、ＳＣｅｌｌ  ＲＲＨ３０２からの基準信号の信号品質が、いくつかの検出可能性基準（detectability criteria）を満たすほど十分に強くなったとき、たとえば、同期信号（ＰＳＳ／ＳＳＳ）が、あるしきい値を上回るＳＮＲを有するか、またはある他のしきい値を上回る基準信号受信電力（ＲＳＲＰ）を有するとき、ＵＥ３００は、ＳＣｅｌｌ  ＲＲＨ３０２についてのセル探索からの時間／周波数オフセット情報を使用して時間／周波数トラッキングループを初期化し得る。ＵＥ３００はまた、ＰＣｅｌｌ  ｅＮＢ３０１を通してワイヤレスネットワーク３０にＣＱＩ情報を送信することを開始し得る。ワイヤレスネットワーク３０は、その場合、ＳＣｅｌｌアクセスポイント３０３に加えてＳＣｅｌｌ  ＲＲＨ３０２によって使用される２次コンポーネントキャリアを通してデータを送ることによって、ＵＥ３００が利用可能な帯域幅を増加させることが可能であり得る。
【００４８】
[0053]図４は、本開示の一態様を実装するために実行される例示的なブロックを示す機能ブロック図である。ブロック４００において、ＵＥは、２次セルとの２次コンポーネントキャリア上での通信リンクの障害を示すイベントについて、２次セルのダウンリンク無線リンク品質を監視する。ＵＥは、２次セルのセル固有ＲＳを監視すること、２次セルのための復調経路から返された無線フレーム境界と比較される、２次セルのＵＥのセル探索から返された無線フレーム境界を監視すること、２次セルからの復調のＢＬＥＲを監視することなどによって、様々な手段によって監視することを実行し得る。
【００４９】
[0054]ブロック４０１において、ＵＥが２次セルとの接続または通信リンクにおける障害イベントを検出したとき、ＵＥは、２次コンポーネントキャリアを使用する通信に関係する様々な動作を調整し得る。たとえば、ＵＥは、ＲＦチップ状態、送信経路状態および受信経路状態、デバイス電圧レベル、メモリ使用量、様々なコンポーネントの動作周波数など、障害通信リンクを用いた２次セル通信に関連する様々なコンポーネントおよびリソースの電力または周波数を中断または低減し得る。ＵＥはまた、障害２次セル通信リンクに関連する復調経路を中断するかまたは非アクティブにし得る。したがって、障害イベント検出に応答して、ＵＥは、電力およびリソースを節約するために通信動作を調整し得る。
【００５０】
[0055]ブロック４０１の障害イベントを検出するために、ＵＥは、２次セルからの仮想的ＰＤＣＣＨ送信のＢＬＥＲによって表される、現在のＲＬＭプロシージャと同様の同期していない状態（an out-of-sync state）を検出し得る。代替的に、ＵＥは、セル探索から返された無線フレーム境界と、復調経路から返された無線フレーム境界との間の差が特定のしきい値を超えたとき、障害イベントを検出し得、ここで、しきい値は、トラッキングループのプルインレンジのサイズなど、トラッキングループの能力に関連する。ＵＥはまた、単に２次セルのＲＳＲＰを決定し得、ＲＳＲＰが一定の時間期間の間所定のしきい値を下回ったとき、ＵＥは障害状態を宣言する。
【００５１】
[0056]障害イベントが検出されると様々な通信動作を非アクティブにすることに加えて、ブロック４０１において、ＵＥは、場合によっては、２次接続を復元することを試み得る。たとえば、随意のブロックｏ−４０２において、宣言された障害状態に応答して、ＵＥは、いくつかの検出可能性基準を満たす２次セルが見つかったかどうか、たとえば、同期信号（ＰＳＳ／ＳＳＳ）があるしきい値を上回るＳＮＲを有するかまたは十分な通信のためのある他のしきい値を上回るＲＳＲＰを有するかどうか、を確認するために、２次コンポーネントキャリア上の周期的な探索結果を監視することを開始し得る。これらのセル探索は、ＰＳＳおよびＳＳＳなど、２次セルの同期信号を検出するために狭帯域探索として構成され得る。ＵＥはまた、０のＣＱＩを送信すること、２次セルのために１のランクインジケータをシグナリングすること、クロスキャリアスケジューリング（cross-carrier scheduling）の場合、ＵＥは、２次セルのダウンリンクスケジュールのために肯定応答（ＡＣＫ）または否定ＡＣＫ（ＮＡＣＫ）をシグナリングすることを中止すること、によってワイヤレスネットワークとの障害状態の保守を開始し得る。
【００５２】
[0057]随意のブロックｏ−４０３において、１つまたは複数の好適に構成された２次セルが、ｏ−４０２において実行された随意のセル探索中に検出されたとき、時間／周波数オフセットなどの、その探索からの結果は、１つまたは複数の構成された２次セルとの２次コンポーネントキャリア上での通信リンクを復元するために使用され得る。構成された２次セルは、それとの前の通信リンクが失われた２次セルを含み得るか、または、それは、検出されて、通信を確立するための適切なしきい値品質測定値を満たす、ネットワークによって使用可能にされた異なる２次セルであり得る。検出すると、ＵＥは、セル探索から得られたオフセットデータを使用していずれかの２次セルトラッキングループ（secondary cell tracking loops）を更新する。この情報は、１つまたは複数の構成された２次セルのためにトラッキングループを初期化または再初期化するために使用され得る。また、１つまたは複数の構成された２次セルが検出されると、ＵＥは、任意の中断されたまたは非アクティブにされたコンポーネント、または、復調経路、送信経路および受信経路など、宣言された障害状態の間に中断された機能、をアクティブにする。
【００５３】
[0058]図５は、本開示の一態様に従って構成されたＵＥ５０３を示すタイミング図である。ＵＥ５０３は、キャリアアグリゲーションを使用するワイヤレスネットワークにおいて動作する。時間５００において、ワイヤレスネットワークは、キャリアアグリゲーションを構成し、ＵＥ５０３のために１次コンポーネントキャリアと２次コンポーネントキャリアとを確立する。時間５０１において、ワイヤレスネットワークは、ＵＥ５０３のための２次コンポーネントキャリアを与えるＳＣｅｌｌの各々を割り当て、アクティブにする。ＳＣｅｌｌのアクティブ化の後、ＵＥ５０３は、アクティブにされたＳＣｅｌｌのうちの少なくとも１つとの良好な通信リンクを確立する。したがって、時間５０１の後、ＵＥ５０３は、接続されたＳＣｅｌｌについてＣＱＩを報告することを開始し、サービングＰＣｅｌｌとの１次コンポーネントキャリア接続を維持しながら、このＳＣｅｌｌからデータを受信し、復調する。時間５０２において、ＵＥ５０３は、接続されたＳＣｅｌｌのうちの少なくとも１つとの通信リンクとの障害イベントを検出する。
【００５４】
[0059]障害イベントを検出したことに応答して、ＵＥ５０３は、時間５０２において、ＳＣｅｌｌに関して障害状態を宣言し、ＳＣｅｌｌ送信経路およびＳＣｅｌｌ受信経路、復調経路への電力を中断または低減すること、様々なコンポーネントの動作周波数を変更することなどを含む、障害ＳＣｅｌｌとの２次コンポーネントキャリア通信に関連する様々な動作を変更する。障害状態を宣言したことに応答して、ＵＥ５０３はまた、ＳＣｅｌｌが見つけられて、いくつかの検出可能性基準を満たすかどうか、たとえば、同期信号（ＰＳＳ／ＳＳＳ）があるしきい値を上回るＳＮＲを有するかまたはある他のしきい値を上回るＲＳＲＰを有するかどうか、を確認するために２次コンポーネントキャリア上の周期的な探索結果を監視することによって、障害ＳＣｅｌｌリンクについての狭帯域探索を開始する。
【００５５】
[0060]期間５０４中に、ＵＥ５０３は、低減された電力／リソース利用状態で動作し、障害ＳＣｅｌｌリンクについての狭帯域セル探索を実行する。時間５０５において、ＵＥ５０３は、セル探索を通してＳＣｅｌｌを再び検出する。ＳＣｅｌｌを再び検出したことに応答して、中断されたコンポーネントおよび／または動作は、ＳＣｅｌｌとの接続を管理するために再アクティブ化され得る。ＵＥ５０３は、したがって、ＳＣｅｌｌについてＣＱＩを報告すること、およびＳＣｅｌｌからデータを受信し、復号することを開始する。
【００５６】
[0061]図６は、本開示の一態様に従って構成されたＵＥ５０３を示すブロック図である。ＵＥ５０３はコントローラ／プロセッサ２８０を含む。コントローラ／プロセッサ２８０は、コンポーネントを制御し、ＵＥ５０３の機能の特徴を与える、メモリ２８２に記憶された論理を実行する。接続されたＳＣｅｌｌとの通信リンクを監視するために、ＵＥ５０３は、コントローラ／プロセッサ２８０の制御下で、接続されたＳＣｅｌｌから、ワイヤレス無線機６０４のＳＣｅｌｌ復調経路６０３を通して受信された信号を制御する。これらのコンポーネントおよび行為の組合せは、１つまたは複数の２次セルのうちの少なくとも１つとの通信リンクの障害を示すイベントについて、モバイルデバイスにおいて１つまたは複数の２次セルのダウンリンク無線リンク品質を監視するための手段を与え得る。
【００５７】
[0062]コントローラ／プロセッサ２８０は、リンク分析論理６００を実行するためにメモリ２８２にアクセスする。リンク分析論理６００の実行する環境は、ＳＣｅｌｌとの接続を分析し、リンク障害が発生しているかどうかを決定する。たとえば、実行するリンク分析論理６００は、ワイヤレス無線機６０４の、ＳＣｅｌｌからの仮想的ＰＤＣＣＨ送信の推定ＢＬＥＲによって表される、ＳＣｅｌｌ復調経路６０３を介して受信されたセル固有ＲＳ中の、同期していない状態（an out-of-sync state）を検出することをコントローラ／プロセッサ２８０に行わせ得る。
【００５８】
[0063]代替的に、実行するリンク分析論理６００は、セル探索から返された無線フレーム境界と、復調経路から返された無線フレーム境界との間の差が特定のしきい値を超えたとき、障害イベントを検出することをコントローラ／プロセッサ２８０に行わせ得る。ＵＥ５０３は、コントローラ／プロセッサ２８０の制御下で、セル探索論理６０７を実行し、ワイヤレス無線機６０４中のそれぞれＳＣｅｌｌ送信経路６０２およびＳＣｅｌｌ復調経路６０３を通して探索信号を受信および送信した後に探索結果を受信する。コントローラ／プロセッサ２８０によるセル探索論理６０７の実行から返された無線フレーム境界は、障害状態を決定するために、（１つまたは複数の）ワイヤレス無線機６０４中のＳＣｅｌｌ復調経路６０３の動作から返された無線フレーム境界と比較され得る。
【００５９】
[0064]実行するリンク分析論理６００は、ＳＣｅｌｌ復調経路６０３を通してワイヤレス無線機６０４において受信されたＳＣｅｌｌ信号のＲＳＲＰを単に決定することをコントローラ／プロセッサ２８０に行わせ得、ＲＳＲＰが一定の時間期間の間所定のしきい値を下回ったとき、ＵＥは障害状態を宣言する。
【００６０】
[0065]実行するリンク分析論理６００の結果に基づいて、コントローラ／プロセッサ２８０は、ＳＣｅｌｌとの通信リンクの障害を検出し、障害状態を宣言する。宣言された障害状態に応答して、ＵＥ５０３は、コントローラ／プロセッサ２８０の制御下で、ワイヤレス無線機６０４中のＳＣｅｌｌ送信経路６０２およびＳＣｅｌｌ復調経路６０３を中断するかまたは非アクティブにする。コントローラ／プロセッサ２８０はまた、ワイヤレス無線機６０４などへの電圧レベルを低減するために電源６０５の電力出力を低減し得る。その上、コントローラ／プロセッサ２８０は、周波数生成器６０６の動作を変更することによって様々なコンポーネントの周波数を変更し得る。これらのコンポーネントおよび行為の組合せは、イベントを検出したことに応答して、１つまたは複数の２次セルのうちの少なくとも１つに関する障害状態を宣言するための手段、なお、障害状態の間にモバイルデバイスが２次コンポーネントキャリアに関係する動作を調整する、を与え得る。
【００６１】
[0066]また、宣言された障害状態に応答して、コントローラ／プロセッサ２８０は、ＳＣｅｌｌが見つけられて、いくつかの検出可能性基準を満たすかどうか、たとえば、同期信号（ＰＳＳ／ＳＳＳ）があるしきい値を上回るＳＮＲを有するかまたはある他のしきい値を上回るＲＳＲＰを有するかどうか、を確認するために、２次コンポーネントキャリア上の周期的な探索結果を監視することによって、障害ＳＣｅｌｌリンクについてのセル探索を実行するための、メモリ２８２中のセル探索論理６０７を実行する。実行するセル探索論理６０７は、探索メッセージを送り、ワイヤレス無線機６０４上の同期信号をリッスンする。これらのコンポーネントおよび行為の組合せは、障害状態に応答して１つまたは複数の２次セルのうちの少なくとも１つについてのセル探索を実行するための手段を与え得る。
【００６２】
[0067]宣言された障害状態の間に、ＵＥ５０３はまた、ネットワークに、ＳＣｅｌｌについて、低い、たとえば、０のＣＱＩを送信すること、および低い、たとえば、１のランクインジケータをシグナリングすることを開始し得る。クロスキャリアスケジューリングの場合、ＵＥ５０３はまた、ＳＣｅｌｌのダウンリンクスケジュールのために肯定応答（ＡＣＫ）または否定ＡＣＫ（ＮＡＣＫ）をシグナリングすることを中止する。
【００６３】
[0068]ＳＣｅｌｌがＵＥ５０３によって検出されたとき、コントローラ／プロセッサ２８０によるセル探索論理６０７の実行を通して、コントローラ／プロセッサ２８０は、障害状態の間に中断されたコンポーネントおよびプロセスの各々を再アクティブ化する。コントローラ／プロセッサ２８０は、ＳＣｅｌｌ送信経路６０２およびＳＣｅｌｌ復調経路６０３を再アクティブ化し、電源６０５および周波数生成器６０６へのアクセスを通して電力設定および周波数設定を元のレベルに戻す。コントローラ／プロセッサ２８０は、セル探索論理６０７の実行から得られた時間／周波数オフセットを、コントローラ／プロセッサ２８０によってＳＣｅｌｌ復調経路６０３から動作させられたＳＣｅｌｌトラッキングループ６０１の動作と比較する。セル探索において決定された時間／周波数オフセットが、動作するＳＣｅｌｌトラッキングループ６０１の時間／周波数オフセットに一致せず、差が、動作するＳＣｅｌｌトラッキングループ６０１のプルインレンジよりも大きい場合、コントローラ／プロセッサ２８０は、セル探索論理６０７の実行からの時間／周波数オフセットを使用してＳＣｅｌｌトラッキングループ６０１を初期化または再初期化する。ＵＥ５０３は、コントローラ／プロセッサ２８０の制御下で、次いで、検出されたＳＣｅｌｌとの接続を復元または再確立することが可能である。ＵＥ５０３は、復元されたＳＣｅｌｌについてＣＱＩをネットワークに送信することを開始し、ネットワークからのスループットを増加させるためにＳＣｅｌｌ上で送信されたデータを受信することを開始する。これらのコンポーネントおよび行為の組合せは、セル探索中に検出された２次セルとの通信リンクを復元するための手段を与え得る。
【００６４】
[0069]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６５】
[0070]図４の機能ブロックおよびモジュールは、プロセッサ、電子デバイス、ハードウェアデバイス、電子コンポーネント、論理回路、メモリ、ソフトウェアコード、ファームウェアコードなど、またはそれらの任意の組合せを備え得る。
【００６６】
[0071]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明したコンポーネント、方法、または相互作用の順序あるいは組合せは例にすぎないこと、および本開示の様々な態様のコンポーネント、方法、または相互作用は、本明細書で例示し、説明したもの以外の方法で組み合わせられるかまたは実行され得ることを容易に認識されよう。
【００６７】
[0072]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６８】
[0073]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体はユーザ端末中に個別コンポーネントとして存在し得る。
【００６９】
[0074]１つまたは複数の例示的な設計では、説明した機能は、ハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、またはコンピュータ可読媒体を介して送信され得る。コンピュータ可読記憶媒体は、汎用または専用コンピュータによってアクセスされ得る任意の利用可能な媒体であり得る。限定ではなく例として、そのようなコンピュータ可読記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、非一時的接続は、コンピュータ可読媒体の定義内に適切に含まれ得る。たとえば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７０】
[0075]本開示についての以上の説明は、いかなる当業者も本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2016517213.tif 000003
【図２】
2016517213.tif 000004
【図３】
2016517213.tif 000005
【図４】
2016517213.tif 000006
【図５】
2016517213.tif 000007
【図６】
2016517213.tif 000008
【国際調査報告】
2016517213.tif 000009
2016517213.tif 000010
2016517213.tif 000011